(57)【要約】  ユーザにより携行されるポータブル医療機器（１）と、同一のユーザにより携行されるモバイルフォン（２）とを使用する方法が提供される。この方法は、ａ）モバイルフォン（２）がある時点（第１の時点）で前記モバイルフォン（２）の地理的位置を決定して、前記地理的位置と前記第１の時点を、データ接続を介してサーバ（４）へ提供する、またはモバイルフォン（２）がセルラーネットワーク（３）により決定されたその位置を有し、前記セルラーネットワーク（３）が前記位置および前記第１の時点をサーバ（４）へ提供するステップと、その後、ｂ）前記サーバ（４）が前記位置および前記第１の時点を使用して、前記時点のための位置特異的なデータを検索するステップと、その後、ｃ）前記サーバ（４）がステップｂ．からのデータを使用して、前記医療機器（１）が保守または交換されるべきかを決定するステップと、を備える。システム、サーバ、およびモバイルフォンがまた提供される。【選択図】  図１
2019531520.tif 000002
【特許請求の範囲】
【請求項１】
ユーザにより携行されるポータブル医療機器（１）、および同一のユーザにより携行されるクライアント機器（２）を使用する方法であって、
ａ．前記クライアント機器（２）が、ある時点（第１の時点）において、前記クライアント機器（２）の地理的位置を決定し、前記地理的位置および前記第１の時点を、データ接続を介してサーバ（４）へ供給するステップ、または、前記クライアント機器（２）が、第１の時点において、セルラーネットワーク（３）により決定されるその位置を有し、前記セルラーネットワーク（３）が、前記位置および前記第１の時点を、前記サーバ（４）へ供給するステップ、その後、
ｂ．前記サーバ（４）が、前記位置および前記時点を使用して前記時点のための位置特異的データを検索するステップ、その後、
ｃ．前記サーバ（４）が、ステップｂ．からの前記位置特異的データを使用して、前記医療機器を保守または交換すべきか否かを決定するステップ、
を含むことを特徴とする方法。
【請求項２】
請求項１に記載の方法であって、
前記医療機器は、ハウジング内に統合される、動作センサ（１４）、処理装置（８）、メモリ（７）、およびセルフォン送受信機（２４）を有し、前記メモリ（７）内に、動作イベントの時点に関する情報を格納することが可能であり、
前記方法は、ステップａ）を、
I）前記クライアント機器（２）が、前記クライアント機器（２）の地理的位置を、少なくとも第１の時点および第２の時点について決定し、これらの位置および時点を、データ接続を介して前記サーバ（４）へ転送し、または、前記クライアント機器（２）が、少なくとも第１の時点および第２の時点についてセルラーネットワーク（３）により決定されるその位置を有し、前記セルラーネットワーク（３）が、前記位置および前記時点を前記サーバ（４）へ供給し、
II）前記医療機器（１）が、前記動作センサ（１４）を使用して、前記医療機器（１）がいつ使用されたかを示す時点（第３の時点）を決定し、
III）前記医療機器（１）が、そのセルラー無線送受信機（２４）を使用して、前記サーバ（４）へのデータ接続を確立して、前記第３の時点を前記サーバ（４）へ転送し、
IV）前記サーバ（４）が、少なくとも前記第１の時点および前記第２の時点の中から、前記第３の時点に最も近接する時点を選択する、
ことにより実行し、
前記サーバ（４）は、ステップｂ）で、ステップIVで選択された前記第３の時点を使用して、位置特異的データを選択する、
ことを特徴とする方法。
【請求項３】
請求項２に記載の方法であって、
ステップIII）は、前記医療機器により、少なくとも所定の時間間隔で実行される、
ことを特徴とする方法。
【請求項４】
請求項２に記載の方法であって、
ステップIII）は、前記医療機器（１）により、前記医療機器（１）が使用された後、自動的に実行される、
ことを特徴とする方法。
【請求項５】
請求項１から４のいずれか１項に記載の方法であって、
ステップｃ）は、前記サーバ（４）が、前記位置特異的データが、閾値を超える値であるか否かを確立することを含む、
ことを特徴とする方法。
【請求項６】
請求項１から５のいずれか１項に記載の方法であって、
前記位置特異的データは、天候パラメータ、大気圧、湿度、温度、交通量、大気汚染、および人の密度からなる群から選択される１つである、
ことを特徴とする方法。
【請求項７】
請求項１から６のいずれか１項に記載の方法であって、
ステップｃ）は、サーバ（４）が、機械学習をデータセット（１５）に対して適用することにより生成される決定ルールを適用し、前記データセット（１５）は、同等の医療機器について以前に収集された位置特異的データを含み、前記データセット（１５）はまた、同等のポータブル医療機器の以前の障害に関するデータを含む、
ことを特徴とする方法。
【請求項８】
請求項１から７のいずれか１項に記載の方法であって、
前記ポータブル医療機器（１）は、薬剤を注入する機器である、
ことを特徴とする方法。
【請求項９】
請求項１から８のいずれか１項に記載の方法であって、
前記クライアント機器（２）は、前記クライアント機器（２）に、前記位置を、少なくとも所定の時間間隔毎に決定させる命令を備える、
ことを特徴とする方法。
【請求項１０】
請求項１から９のいずれか１項に記載の方法であって、
前記位置は、前記クライアント機器（２）により、ＧＰＳを使用して決定される、
ことを特徴とする方法。
【請求項１１】
請求項１から９のいずれか１項に記載の方法であって、
前記位置は、前記クライアント機器（２）により、Ｗｉ−Ｆｉ位置決めを使用して決定される、
ことを特徴とする方法。
【請求項１２】
請求項１から１１のいずれか１項に記載の方法であって、
前記クライアント機器（２）は、前記地理的位置を決定し、前記地理的位置および前記時点を、前記セルラーネットワーク（３）により提供されるデータ接続を介して、前記サーバ（４）に転送する、
ことを特徴とする方法。
【請求項１３】
請求項１から９のいずれか１項に記載の方法であって、
前記クライアント機器（２）の前記位置は、前記セルラーネットワーク（３）により決定される、
ことを特徴とする方法。
【請求項１４】
ユーザにより携行されるポータブル医療機器（１）、および同一のユーザにより携行されるクライアント機器（２）、セルラーネットワーク（３）、およびサーバ（４）を備えるシステムであって、
前記クライアント機器（２）は、前記クライアント機器（２）の地理的位置を決定し、前記地理的位置の決定の時点とともに格納し、前記地理的位置および前記時点を、データ接続を介してサーバ（４）へ供給するよう構成され、または、前記セルラーネットワーク（３）は、前記クライアント機器（２）の前記位置を決定し、前記位置および前記第１の時点を前記サーバ（４）へ供給するよう構成され、
前記サーバ（４）は、前記位置および前記時点を使用して、前記時点についての位置特異的データを検索し、前記位置特異的データを使用して、前記医療機器（１）を保守または交換すべきか否かを決定するよう構成される、
ことを特徴とするシステム。
【請求項１５】
請求項１４に記載のシステムであって、
前記医療機器は、ハウジング内に統合される、動作センサ（１４）、処理装置（８）、メモリ（７）、およびセルフォン送受信機（２４）を有し、前記メモリ（７）中に、動作イベントの時点に関する情報を格納することが可能であり、
前記クライアント機器（２）は、前記クライアント機器（２）の前記地理的位置を、少なくとも第１の時点および第２の時点について決定し、これらの位置および時点を、データ接続を介して前記サーバ（４）へ転送するよう構成され、または、前記セルラーネットワーク（３）は、前記クライアント機器（２）の前記位置を、少なくとも第１の時点および第２の時点について決定し、前記位置および前記時点を前記サーバ（４）へ供給するよう構成され、
前記医療機器（１）は、前記動作センサ（１４）を使用して、前記医療機器（１）がいつ使用されたかの時点（第３の時点）を決定し、そのセルラー無線送受信機（２４）を使用して、前記サーバ（４）へのデータ接続を確立し、前記第３の時点を前記サーバ（４）へ転送するよう構成され、
前記サーバ（４）は、少なくとも前記第１、第２、および第３の時点を受信し、少なくとも前記第１の時点および前記第２の時点の中から、前記第３の時点に最も近接する時点を選択し、選択された時点の位置を使用して、前記時点についての位置特異的データを検索し、前記位置特異的データを使用して、前記医療機器（１）を保守または交換すべきか否かを決定するよう構成される、
ことを特徴とするシステム。
【請求項１６】
請求項１５に記載のシステムであって、
前記医療機器（１）は、前記サーバ（４）へのデータ接続を確立し、前記第３の時点を前記サーバ（４）へ、少なくとも所定の時間間隔で転送するよう構成される、
ことを特徴とするシステム。
【請求項１７】
請求項１５または１６に記載のシステムであって、
前記医療機器（１）は、前記サーバ（４）へのデータ接続を確立し、前記第３の時点を前記サーバ（４）へ、前記医療機器（１）が使用された後に自動的に転送するよう構成される、
ことを特徴とするシステム。
【請求項１８】
請求項１４から１７のいずれか１項に記載のシステムであって、
前記サーバによる前記決定のステップは、前記サーバ（４）が、機械学習をデータセット（１５）に対して適用することにより生成される決定ルールを適用することを含み、前記データセット（１５）は、同等の医療機器について以前に収集された位置特異的データを含み、前記データセット（１５）はまた、前記同等の医療機器の以前の障害に関するデータを含む、
ことを特徴とするシステム。
【請求項１９】
請求項１４から１８のいずれか１項に記載のシステムであって、
前記ポータブル医療機器（１）は、薬剤の注入のための機器である、
ことを特徴とするシステム。
【請求項２０】
請求項１４から１９のいずれか１項に記載のシステムであって、
前記クライアント機器（２）は、前記クライアント機器（２）に前記位置を、少なくとも所定の時間間隔毎に決定させる命令を備える、
ことを特徴とするシステム。
【請求項２１】
請求項１４から２０のいずれか１項に記載のシステムであって、
前記クライアント機器（２）は、前記地理的位置を決定し、前記地理的位置および時点を、前記サーバ（４）へ、前記セルラーネットワーク（３）により提供されるデータ接続を介して転送する、
ことを特徴とするシステム。
【請求項２２】
請求項１４から２０のいずれか１項に記載のシステムであって、
前記クライアント機器（２）の前記位置は、前記セルラーネットワーク（３）により決定される、
ことを特徴とするシステム。
【請求項２３】
識別されたポータブル医療機器（１）に関連する、その中に格納される情報を有するサーバ（４）であって、
前記サーバ（４）は、クライアント機器（２）の位置および時点を受信し、前記位置および前記時点を使用して、前記時点についての位置特異的データを検索し、前記位置特異的データを使用して、前記ポータブル医療機器（１）を保守または交換すべきか否かを決定するよう構成される、
ことを特徴とするサーバ。
【請求項２４】
請求項２３に記載のサーバであって、
少なくとも、前記クライアント機器（２）の第１の位置に関連する第１の時点、および前記クライアント機器（２）の第２の位置に関連する第２の時点を受信し、
前記ポータブル医療機器（１）から、前記医療機器（１）がいつ使用されたかを示す時点（第３の時点）を受信し、
前記サーバ（４）は、少なくとも前記第１の時点および前記第２の時点の中から、前記第３の時点に最も近接する時点を選択する時点選択ソフトウエア（２６）を有し、
前記サーバ（４）は、選択された前記時点および位置を使用して、前記位置特異的データを検索するよう構成される、
ことを特徴とするサーバ。
【請求項２５】
請求項２３または２４に記載のサーバであって、
前記医療機器（１）を保守または交換すべきかの前記決定は、前記サーバ（４）が、機械学習をデータセット（１５）に適用することにより生成される決定ルールを適用することを含み、
前記データセット（１５）は、同等の医療機器について以前に収集された位置特異的データを含み、前記データセット（１５）はさらに、前記同等のポータブル医療機器の以前の障害に関するデータを含む、
ことを特徴とするサーバ。
【請求項２６】
個々のポータブル医療機器（１）に関する、その中に格納される情報を有するクライアント機器（２）であって、
前記クライアント機器（２）は、前記クライアント機器（２）の地理的位置を決定し、前記地理的位置の決定の時点と共に格納し、前記地理的位置および前記時点を、サーバ（４）へデータ接続を介して供給するよう構成され、
前記クライアント機器（２）は、前記サーバ（４）から、前記ポータブル医療機器（１）を保守または交換すべきかの情報を受信するよう構成される、
ことを特徴とするクライアント機器。
【請求項２７】
請求項２６に記載のクライアント機器であって、
前記クライアント機器（２）は、前記位置を、少なくとも所定の時間間隔毎に周期的に決定するよう構成される、
ことを特徴とするクライアント機器。
【発明の詳細な説明】
【技術分野】
【０００１】
本発明は、ポータブル医療機器の調子(health)を、例えば、医療機器が保守され(serviced)または交換される(replaced)ことが必要か否かを決定することにより、モニターする方法およびシステムに関する。
【背景技術】
【０００２】
ポータブルまたは装着可能な(wearable)医療機器は、多数の病気を治療または緩和するために使用される。こうした医療機器の例は、注入（注射）(injection)機器、輸液用（点滴）(infusion)機器、血糖測定器、および透析機器を含む。
【０００３】
患者により自己投与(self-administered)される注入可能な薬剤の数は、常に増加している。インシュリンはおそらく、患者自身が注入する薬剤の最も周知な例であるが、さらにまた、抗体、成長ホルモン、赤血球生成促進因子（ＥＰＯ）、およびいくつかの化学療法薬剤は、患者による注入で自己投与される。
【０００４】
注入は、最も頻繁には、ハンドヘルド（携帯型）注射機器を用いてなされ、典型的には、１日当たり１回から６回使用され、これは、常時薬剤を供給する輸液用機器とは対照的である。
【０００５】
こうした薬剤はまた、患者にほぼ永久に（取り外し不能に）接続されるポータブル輸液用ポンプにより供給されることができる。
【０００６】
透析は、患者により携行される、ポータブルまたは装着可能な機械を用いて実行されることができる。
【発明の開示】
【発明が解決しようとする課題】
【０００７】
患者の安全性のため、ポータブルまたは装着可能な医療機器が、正確かつ信頼できる方式で動作することは非常に重要である。同時に、ユーザにより常に携行されるこれらの機器は、極端な温度または湿度、または衝撃（ユーザが機器を落とした場合）、または機器を損傷しかねない他の有害な状況(harmful conditions)に晒されるかもしれない。
【０００８】
こうした医療機器は、時々誤動作するかもしれず、そのため保守または交換を必要とするかもしれない。
【課題を解決するための手段】
【０００９】
本発明の第１の態様によれば、ユーザにより携行されるポータブル医療機器と、同一のユーザにより携行される、好適にはポータブルクライアント機器、例えばモバイルフォン、であるクライアント機器とを用いる方法が提供される。
この方法は、ａ）クライアント機器がある時点（第１の時点）でクライアント機器の地理的位置を決定し、地理的位置および第１の時点を、データ接続を介してサーバへ提供する、または、クライアント機器が、第１の時点で、セルラーネットワークにより決定されるその位置を有し、セルラーネットワークがその位置および第１の時点をサーバへ提供するステップと、その後、ｂ）サーバがその位置およびその時点(time point)を使用して、その時点のための位置特異的な(position-specific)データを検索するステップと、その後、ｃ）サーバがステップｂ．からの位置特異的データを使用して、医療機器を保守または交換すべきか否かを決定するステップと、を備える。
【００１０】
本発明はいくつもの利点を有する。１つの利点は、ポータブル医療機器をモニターするための新規な手段が提供されることである。ユーザの健康にとって、ポータブル医療機器が正確に動作することは重要な課題である。このため、医療機器が故障する前に医療機器を交換または保守することは非常に有用であり得る。本発明は、医療機器が、例えば極端な温度または湿度等の有害な状況に晒されているか否かを連続的に検出することを可能にする方法、システム、クライアント機器、およびサーバを提供する。
【００１１】
本発明により、医療機器を、当該医療機器がいかなる環境に晒されているかに関し、モニターすることが可能となる。これは、医療機器がバッテリー駆動でない場合に、こうした医療機器が給電される(powered)センサを持つことができないため、特に有用であり得る。
【００１２】
データの外部プロバイダ（またはモバイルフォンのセンサ）により供給されるデータを信頼することにより、医療機器は、それ自身のセンサを有する必要がない。さらに、通常使用されるセンサによっては検出することのできないあるタイプのデータ、例えば、交通密度（交通量）や人密度(people density)等、は、医療機器をモニターするために使用することができる。
【００１３】
クライアント機器（モバイルフォン）の位置を信頼することにより、医療機器は、その位置を決定するためにスイッチオンされる必要がない。これにより、機器のバッテリーを節約することができる。医療機器のバッテリーが充電されていない場合、患者は重要な治療を実行することができず、これにより患者をリスクに晒すため、医療機器のバッテリーを節約することは重要である。
【００１４】
好適な実施形態において、医療機器は、動作センサ(operations sensor)、処理装置(processing unit)、メモリ、および、好適にはセルラーフォン送受信機(transceiver)である無線通信機器を備え、これらはハウジング内に統合されて、動作イベントの時点に関する情報をメモリに格納することができる。
この方法は、I）クライアント機器が、クライアント機器の地理的位置を、少なくとも第１の時点および第２の時点について決定し、これらの位置および時点を、データ接続を介してサーバへ送信し、または、クライアント機器が、セルラーネットワークにより少なくとも第１の時点および第２の時点について決定されたその位置を有し、セルラーネットワークがそれらの位置および時点をサーバへ提供すること、II）医療機器が、動作センサを使用して、医療機器がいつ使用中であった(in use)かの時点（第３の時点）を決定すること、III）医療機器が、そのセルラー無線送受信機（またはＷｉ−Ｆｉ等の他の手段）を使用してサーバへのデータ接続を確立し、第３の時点をサーバへ転送すること、およびIV）サーバが、少なくとも第１の時点および第２の時点の中から、第３の時点に最も近接する時点を選択すること、により、ステップａ）を実行すること、および、サーバが、ステップｂ）で、ステップIV）で選択された時点を使用して、位置特異的(position-specific)データを検索することを含む。
この位置は、複数の時点(time points)について決定されてよく、ステップIV）における選択は、これら複数の時点からなされることができる。医療機器およびサーバの間のデータ接続は、少なくとも部分的に無線であり、これにより、データ接続を確立するために物理的コネクタを医療機器へ接続する必要がない。好適な実施形態において、医療機器は、セルラー無線送受信機を使用する。
【００１５】
医療機器は、使用中において、より損傷を被りやすい。本実施形態によれば、医療機器の動作の時点の位置特異的データを、医療機器をモニターするために使用することができるという利点が得られる。
【００１６】
医療機器のセルラー送受信機は、例えば注入に関する情報を、（例えば、患者の薬剤服用順守(compliance)をモニターするため、）サーバへ転送するために使用されることができ、同時に、医療機器のバッテリーを節約することができる。こうして、医療機器は、セルラー送受信機を頻繁にスイッチオンする必要がなく、恐らく１日当たり１回でよく、こうして医療機器のバッテリーを節約する。
【００１７】
ステップI）は、好適には、クライアント機器（モバイルフォン）が、少なくとも第１の時点および第２の時点について位置を確立することにより実行される。
【００１８】
医療機器は、ステップIII）、すなわち、少なくとも所定の時間間隔での動作の時点の転送、を実行するよう構成されてよい。医療機器は、このステップを、当該医療機器が使用された(in use)後に自動的に実行されるよう構成されてよい。これにより、使用データ(use data)がサーバへ転送されて、患者の薬剤服用順守をモニターするため使用され得るという利点が得られる。このデータは、使用後迅速に転送される場合に、最も有用である。
【００１９】
位置特異的データは、外部のデータ供給者、例えば天気サービス、により供給されてよい。位置特異的データは、大気圧、湿度、温度、または他の天気または気候パラメータ、交通量、大気汚染、大気中粒子密度、大気中花粉密度、および人の密度（例えば、領域単位当たりの人）からなる群から選択される１つであってよい。位置特異的データは、緯度および経度により決定される位置のための海抜高度であってよい。
【００２０】
決定ステップ（ステップＣ）は、サーバが、位置特異的データが、閾値を超える値であるか否かを確立することを含んでよい。
【００２１】
決定ステップのための決定ルールを取得するため、機械学習が使用されてよい。こうして、決定ステップ（ステップＣ）は、サーバが決定ルールを適用することを含み、この決定ルールは、機械学習をデータセットへ適用することにより生成され、このデータセットは、同等の（比較可能な）(comparable)医療機器のため以前に収集された位置特異的データを備え、このデータセットはまた、同等のポータブル医療機器の以前の障害に関するデータを備えてよい。
【００２２】
好適な実施形態において、ポータブル医療機器は、薬剤の注入(injection)のための機器である（したがって輸液用(infusion)機器ではない）。
【００２３】
モバイルフォンは、モバイルフォンに少なくとも所定の時間間隔ごとに位置を決定させるソフトウエア（アプリケーション）等の命令を備えてよい。
【００２４】
位置は、複数の異なる方法で、モバイルフォンにより確立されることができる。ある実施形態において、位置は、ＧＰＳまたは他の同等の衛星に基づくシステムを使用して、モバイルフォンにより決定される。ある実施形態において、位置は、Ｗｉ−Ｆｉ位置決め（ＷＰＳ）を使用してモバイルフォンにより決定される。地理的位置は、セルラーネットワークにより提供されるデータ接続を介してモバイルフォンからサーバへ供給されてよい。
【００２５】
好適な実施形態において、モバイルフォンの位置は、セルラーネットワークにより決定される。セルラーネットワークは、十分な精度でモバイルフォンの位置を決定して、位置特異的データを検索することができる。これで、モバイルフォンのバッテリーを節約することができる。また、タイミング位置(timing position)決定の目的のためのソフトウエアを、モバイルフォンに導入する必要がない。
【００２６】
本発明の第２の態様によれば、ユーザにより携行されるポータブル医療機器と、同一のユーザにより携行されるモバイルフォンと、セルラーネットワークと、およびサーバを備えるシステムが提供される。
モバイルフォンは、モバイルフォンの地理的位置を、この地理的位置の決定の時点(time point)と共に決定および格納し、地理的位置および時点を、データ接続を介してサーバへ供給するよう構成され、または、セルラーネットワークは、モバイルフォンの位置を決定し、セルラーネットワークが位置および第１の時点をサーバへ供給するよう構成され、サーバは、位置および時点を使用してこの時点のための位置特異的データを検索し、位置特異的データを使用して、医療機器を保守または交換すべきか否かを決定するよう構成される。
【００２７】
ある実施形態において、このシステムの医療機器は、ハウジング内に統合される、動作センサ(operations sensor)、処理装置、メモリ、およびセルラーフォン送受信機を有し、メモリ中に動作イベントの時点に関する情報を格納することができる。
モバイルフォンは、モバイルフォンの地理的位置を、少なくとも第１の時点および第２の時点について決定し、これらの位置および時点を、データ接続を介してサーバへ転送するよう構成される。または、セルラーネットワークは、モバイルフォンの位置を、少なくとも第１の時点および第２の時点について決定し、これらの位置および時点をサーバへ供給するよう構成される。
医療機器は、動作センサを使用して、医療機器がいつ使用中であったか（使用されたか）(has been in use)の時点（第３の時点）を決定し、そのセルラー無線送受信機を使用して、サーバへのデータ接続を確立して、第３の時点をサーバへ転送するよう構成される。
サーバは、少なくとも第１、第２、および第３の時点を受信して、少なくとも第１の時点および第２の時点の中から、第３の時点に最も近接する時点を選択し、選択された時点の位置を使用して、当該時点のための位置特異的データを検索し、位置特異的データを使用して、医療機器を保守または交換すべきか否かを決定するよう構成される。
【００２８】
医療機器は、サーバへのデータ接続を確立し、第３の時点をサーバへ、少なくとも所定の時間間隔で転送するよう構成されてよい。医療機器は、サーバへのデータ接続を確立し、第３の時点をサーバへ、医療機器が使用された後自動的に転送するよう構成されてよい。
【００２９】
モバイルフォンは、モバイルフォンに、その位置を少なくとも所定の時間間隔毎に決定させる命令を備えてよい。所定の間隔は、少なくとも１日当たり１回であってよい。
【００３０】
本発明の第３の態様によれば、サーバが提供され、このサーバは、識別された(identified)ポータブル医療機器に関連付けられる、その内部に格納される情報を有する。サーバは、モバイルフォンの位置および時点を受信するよう構成され、位置および時点を使用して、当該時点のための位置特異的データを検索し、位置特異的データを使用して、ポータブル医療機器を保守または交換すべきか否かを決定するよう構成される。
【００３１】
サーバは、少なくとも、モバイルフォンの第１の位置に関連する第１の時点、およびモバイルフォンの第２の位置に関連する第２の時点を受信し、ポータブル医療機器から、医療機器がいつ使用中であったかを示す時点（第３の時点）を受信するよう構成されてよい。サーバは、少なくとも第１の時点および第２の時点の中から、第３の時点に最も近接する時点を選択する時点選択ソフトウエアを有し、サーバは、選択された時点および位置を使用して、位置特異的データを検索するよう構成される。
【００３２】
本発明の第４の態様によれば、モバイルフォンが提供され、このモバイルフォンは、個々のポータブル医療機器に関する、その内部に格納される情報を有する。モバイルフォンは、モバイルフォンの地理的位置を、当該地理的位置の決定の時点と共に決定および格納し、これら地理的位置および時点を、データ接続を介してサーバへ供給するよう構成される。モバイルフォンは、サーバから、ポータブル医療機器を保守または交換すべきか否かの情報を受信するよう構成される。
【００３３】
本方法は、ユーザにより携行されるポータブル医療機器、および同一のユーザにより携行され、位置を決定し、または決定されたその位置を有することの可能なモバイルフォンを提供することを含んでよい。モバイルフォンは、ある時点（第１の時点）において、モバイルフォンの位置を決定し、少なくともセルラーネットワークを介して提供されるデータ接続を介して、サーバへ、地理的位置および第１の時点を供給する。
【００３４】
本方法は、モバイルフォンが、モバイルフォンの地理的位置を、少なくとも第１の時点および第２の時点について決定し、これらの位置および時点を、少なくともセルラーネットワークを介して提供されるデータ接続を介して、サーバへ転送することを含んでよい。または、本方法は、モバイルフォンが、少なくとも第１の時点および第２の時点についてセルラーネットワークにより決定されるその位置を有し、セルラーネットワークが、位置および時点をサーバへ供給することを含んでよい。
【００３５】
添付図面は、本明細書の一部を成し、本発明の好適な実施形態を概略的かつ例示的に説明し、本発明の原理を説明するのに役立つ。
【図面の簡単な説明】
【００３６】
【図１】図１は、本発明に係るシステムの概略図である。
【図２】図２は、本発明に係るシステムの概略図である。
【図３】図３は、本発明に係るシステムの概略図である。
【図４】図４は、本発明に係る方法を示すフローチャートである。
【図５】図５は、本発明に係る方法を示すフローチャートである。
【図６】図６は、本発明に係るシステムの概略図である。
【図７】図７は、本発明に係る方法を示すフローチャートである。
【図８】図８は、本発明に係るサーバの概略図である。
【図９】図９は、本発明に係る方法を示すフローチャートである。
【発明を実施するための形態】
【００３７】
システムを図示する図面において、サーバが、ハードウエアおよびソフトウエアコンポーネントの双方において図示されている。
【００３８】
注入機器(injection devices)に関し、本明細書において、「注入(injection)」、「注入の時(time of injection)」、「注入手段」、「注入機器」等として参照されるが、注入(injection)はまた、薬剤が医療機器により患者の内部へ注入されることなくイジェクト（排出）(ejected)される場合も参照することが理解されるべきである。これは、例えば、ユーザが、機器が所望のとおり動作するかをチェックする目的のため、少量の薬剤をイジェクトすることにより、注射器を準備する(primes)場合であってよい。
【００３９】
開示される閾値、例えば、５０℃、は、例示として提供されるのみであって、いかなる意味においても限定的ではない。本発明を使用する際に使用すべき実際の閾値は、試験を実行することにより見出すことができ、実際の機器で使用されるコンポーネントの仕様書中に見出すことができ、または、後述するように機械学習により見出すことができる。閾値は、好適には予め定められており、すなわち、閾値は、少なくとも、サーバが決定ステップを実行する前に決定される。ここで、「データが転送される(transferred)」と参照される場合、データはまた代替的に、「供給される(provided)」ことであってよいと理解される。
【００４０】
ここで、「クライアント機器」と参照される場合、好適には、それは、ポータブルクライアント機器、例えばモバイルフォンである。
【００４１】
図１を参照して、本発明は、ポータブル医療機器１のユーザが同時にモバイルフォン２を携行するとの前提に基づく。モバイルフォン２は、ユーザの地理的位置(geographical position)、すなわち医療機器１の地理的位置、を確立するために使用される。医療機器１およびモバイルフォン２の間の非常に小さい位置の差（恐らく１ｍ未満）はこのため無視される。地理的位置は、時点(time point)と共に、機器の信頼性に影響し得る多様なパラメータ、例えば局所的温度または湿度、のためのデータを検索するために使用される。局所的温度または湿度は、医療機器１の挙動に影響する可能性があるものとする。例えば、局所的湿度が極度に高い場合、医療機器は、保守または交換を必要とし得る。多数の医療機器１のデータは、機械学習が適用されることが可能なデータセット１５中に収集され、機器の障害を予測することが可能なパターンを特定（同定）する。
【００４２】
システム５０は、医療機器１、モバイルフォン２、セルラーネットワーク３、およびサーバ４を備える。
【００４３】
こうして、システム５０は、好適には、そのそれぞれが１人のユーザおよび１つのモバイルフォン２に関連付けられる複数の医療機器１を含む。サーバ４は、複数の医療機器１をモニターするために使用されることが可能である。
【００４４】
図２を参照して、ここで医療機器１は、ポータブルまたはウェアラブル（装着可能）な医療機器、例えば、薬剤注入(injection)のためのポータブル機器、血糖測定器、ポータブルまたはウェアラブルな透析装置、または例えばインシュリン等の薬剤を輸液(infusion)する輸液用機器等であってよい。ポータブル医療機器は、ハンドヘルド医療機器であってよい。
【００４５】
好適な実施形態において、医療機器は、ポータブル注入機器である。ポータブル注入機器１は、例えば成長ホルモン、抗体（例えば抗体に基づく薬剤）、またはインシュリン等の薬剤を注入するために使用されてよい。典型的には、注入機器１は、人により、１日当たり１回から６回自身に注入（注射）するために使用される。こうしたポータブル注入機器は、ユーザにより例えばポケットやハンドバック内に携行されることができる。これは、自身にインシュリンを投与する人にとって最も一般的な方法であり、ユーザの身体に絶え間なく接続されて多かれ少なかれ一日中連続的に薬剤を投与する輸液用機器と対照的である。注入機器は、ユーザの主導（イニシアティブ）で薬剤を投与する。一方、輸液用機器は、多かれ少なかれユーザに絶え間なく（取り外せないように）接続されて薬剤を連続的に供給する。
【００４６】
医療機器１が注入機器である場合、医療機器は注入手段６を有する。注入手段６は、注入機器の技術分野において公知であるように配置されてよい。注入手段６は、例えばインシュリン等の薬剤を含む交換可能なカートリッジを取り付ける場所を備えてよい。カートリッジは典型的には、注射器(injection syringe)を取り付ける場所を有する。注入手段６はまた、典型的には、カートリッジ内に圧力を生成するプランジャ(plunger)、およびプランジャがどれだけの距離を移動するかを制御する投与量設定手段を備える。プランジャは、駆動機構により動力供給される。注入手段６はまた、注入アクチュエータ（作動装置）、例えば、ユーザにより押下されることが可能なボタンを備える。これにより、投与量設定手段により許容された程度までのプランジャの移動が引き起こされる。好適な注入手段の例は、ＷＯ２０１５／０７６７４５号公報およびその中に引用される文献中に見出すことができる。
【００４７】
追加的に、医療機器１は、データ通信を許容するセルラーネットワーク３と通信するためのセルラー無線送受信機２４を備えてよい。セルラーネットワーク３は、例えば、ＧＰＲＳ、３Ｇ、４Ｇ、ＬＴＥまたは同様のセルラーネットワークであってよい。セルラー無線送受信機２４は典型的には、セルラーネットワーク３中で医療機器１を識別するためのＳＩＭカード、またはＳＩＭカードを取り付けるための場所、を備える。セルラー無線送受信機２４は、医療機器１およびサーバ４の間で、例えばインターネットを介したデータ接続を確立することができる。
しかしながら、音声通信は必要ではなく、セルラー無線送受信機２４により利用可能にされる必要はない。セルラーネットワーク３を使用した、例えばＷｉ−Ｆｉ上の通信の利点は、セルラーカバレッジ（対応範囲）が、手動でのログイン手順を必要とせず、ほぼどこでも利用可能であることである。医療機器１およびサーバ４の間の通信は、さらに、データ通信をサポートする他のタイプのネットワークの接続タイプ、例えば、有線(wire-bound)技術を含んでよい。
【００４８】
医療機器１は、動作センサ１４を備えてよい。このセンサ１４は、医療機器１が使用された際、例えば、医療機器の可動部分の動きを検出することにより、検出することができる。動作センサ１４は、例えば、回転部分の回転、医療機器の注入手段６のプランジャの線形運動を検出するよう配置されることができる。
【００４９】
センサ１４は、例えば、医療機器１の部分の旋回または変位、拡張または収縮、または医療機器１への消耗品(consumable part)の挿入、温度変化、消耗品または材料の使用、区画内の液体のレベル変化、または圧力変化を検出してよい。
【００５０】
動作センサ１４がどのように配置されることが可能であるかの例は、ＷＯ２０１５／０７６７４５号公報およびその中で引用される文献に見出すことができる。動作センサ１４は、回転または線形移動を検出することが可能であってよい。動作センサ１４は、例えば、動きを検出する光学センサであってよい。
【００５１】
医療機器１が注入機器でなく、例えば、輸液用機器または透析装置である場合、動作センサ１４は、医療機器１のポンプまたはプランジャの動きを検出してよい。
【００５２】
医療機器１が血糖測定器である場合、動作センサ１４は、テストスティックのテストスティックポートへの挿入を検出してよい。
【００５３】
医療機器１は、ソフトウエアや動作センサ１４からのデータを格納するメモリ７、およびソフトウエアを実行して機器の動作センサ１４と通信する処理装置８を備えてよい。メモリ７は、好適には固体メモリである。医療機器１、好適には処理装置８は、時点を決定するためのクロックを備えてよい。処理装置８は、医療機器の部分が誤動作した場合、エラーコードを生成することが可能であってよい。エラーコードは、例えば、バッテリーが充電されていない、機器の部分との通信の途絶、処理装置の障害、メモリ障害またはセンサ障害に関連してよい。
【００５４】
ポータブル医療機器１は、好適には、バッテリー２０により給電される、バッテリー駆動機器であってよい。処理装置８、メモリ７、およびセルラー無線送受信機２４は、バッテリー２０により給電されてよい。バッテリー２０はまた、動作センサ１４を給電してよい。バッテリー２０はまた、医療機器１の動作に必要となる、ポンプ、またはエンジン、またはセンサ（例えば、血糖センサ）を給電してよい。
【００５５】
医療機器１は、医療機器の動作のデジタルログを備えてよい。医療機器１が注入機器である場合、医療機器は、ユーザにより実行され、注入の記録がされた、注入のログを備えてよい。ポータブル医療機器が血糖測定器を備える場合、デジタルログはまた、血糖値のログであってよい。
【００５６】
医療機器１はまた、ディスプレイを含むユーザインタフェースを有してよい。医療機器１は、好適には、医療機器１の多様なコンポーネントを収容するハウジングを有する。処理装置８は、医療機器１が所定時間使用されていない場合は、バッテリー電力を節約するため、医療機器１をスイッチオフし、またはスリープモードにするよう構成されてよい。
【００５７】
医療機器１の使用の時点は、処理装置８が、動作センサ１４が動作に関する信号を処理装置８へ送信する毎に登録することにより、検出されてよい。これらの時点は、機器１のメモリ７内にデジタル形式で格納されてよい。
【００５８】
処理装置８は、メモリ７から時点を検索して、セルラー送受信機２４の助けを借りてデータ通信を使用し、これらをサーバ５へ転送することが可能であってよい。
【００５９】
動作センサ１４は、これが存在する場合、処理装置８に、これらの間で信号授受が発生するよう接続される。センサ計測、センサ信号処理、および、センサ１４と処理装置８とメモリ７との間の通信は、センサ技術分野において公知であるあらゆる好適な方法で実行されることができる。信号処理およびデータ格納は、機器１の多様な部分、例えば、センサ１４、メモリ７、および処理装置８内、で実行されてよい。
【００６０】
モバイルフォン２は、好適には、モバイル通信の技術分野で公知であるようなセルラー無線送受信機５を有する。これにより、セルラーネットワーク３と通信することができる。好適には、モバイルフォン２は、音声通信、例えば、ＧＳＭ（登録商標）上の音声通信をサポートする。糖尿病患者であるかもしれないユーザが助けを必要とする場合、例えば、低血糖症が発生した場合、音声通信は有益であり得る。ユーザは、医療機器１を提供する医療従事業者(health provider)に電話する必要があるかもしれない。モバイルフォン２は、処理装置、メモリ、およびユーザインタフェース（例えば、テキストおよび数値を入力することが可能なタッチスクリーン）を有する。メモリは、データおよびソフトウエアを格納するのに使用されることができる。セルラー無線送受信機５は、典型的には、セルラーネットワーク３内でモバイルフォン１を識別するためのＳＩＭカード、またはＳＩＭカードを取り付けるための場所、を備える。モバイルフォン２は、モバイルフォン２をＷｉ−Ｆｉネットワークへ接続するのに使用されることができるＷｉ−Ｆｉチップ（回路）を有してよい。モバイルフォン２は、衛星５２から位置決めのための信号を受信するＧＰＳチップを有してよい。
【００６１】
モバイルフォン２は、サーバ４へのデータ接続を確立することが可能であってよい。モバイルフォン２およびサーバ４の間の通信は、例えばセルラーネットワーク（３Ｇ、４Ｇ、ＬＴＥ等）、またはＷｉ−Ｆｉ等のあらゆる好適な技術で実行されることができる。好適には、無線技術が使用される。モバイルフォン２およびサーバ４の間の通信は、例えばインターネット５１等の広域ネットワーク(wide area network)を介して実行されてよい。モバイルフォン２およびサーバ４の間の通信はまた、例えば、モバイルフォンがセルラーネットワーク３へテキストメッセージを送信し（ＳＭＳ）、セルラーネットワーク３からサーバ４へ情報を送信することにより、実行されてよい。例えばＷｉ−Ｆｉが使用されて時点および位置が転送される場合、このステップでセルラーネットワーク３を含むことは必要ではないかもしれない。
【００６２】
好適にはまた、モバイルフォン２のユーザインタフェースは、画像およびテキストを表示するディスプレイを有する。ディスプレイは、好適にはタッチディスプレイである。タッチディスプレイは、ユーザがモバイルフォン２へ情報を入力することを可能とするキーボードを表示することが可能であってよい。好適にはまた、モバイルフォン２は、ソフトウエア、例えばアプリケーションをダウンロードおよびインストールすることが可能である。好適はモバイルフォン（クライアント機器）２の例は、ｉＰｈｏｎｅ（登録商標）またはＡｎｄｒｏｉｄフォンである。
【００６３】
モバイルフォン２は、少なくとも１つのセンサ２５を有してよい。センサは、温度センサ、湿度センサ、大気圧センサ、光センサ、および加速度センサのいずれか１つであってよい。センサ２５は、以下で説明するとおり、本発明の別個の実施形態中で使用されることができる。
【００６４】
モバイルフォン２はまた、現在どこに位置するかの地理的位置を確立することができ、またはセルラーネットワーク３により決定されるその位置を有する。これは、ＧＰＳ、モバイルフォントラッキング、またはＷｉ−Ｆｉ位置決めを含む、あらゆる好適な技術で実現することができる。こうして、モバイルフォン２は、位置決め手段１３、例えば、衛星５２（図３および図６）から信号を受信可能なＧＰＳ位置決め手段、を有してよい。地理的位置は、例えば、緯度および経度を使用して表現されてよい。
【００６５】
モバイルフォン２は、自動的にモバイルフォン２に位置を決定させ、モバイルフォン２のメモリ中に時点と共に位置を格納させるソフトウエア（例えばアプリケーション）を有してよい。これは、少なくとも所定の時間間隔で、例えば少なくとも１５分毎に、繰り返すことが可能である。モバイルフォン２のソフトウエア（アプリケーション）は、この時間間隔を決定することができ、モバイルフォン２のクロックまたはタイマは、時間を決定するのに使用されることができる。アプリケーションはまた、モバイルフォン２に命令を供給して位置をサーバ４へ、例えば、位置を決定する時間間隔より長くてよい所定の時間間隔で、例えば１日当たり１回、転送させてよい。モバイルフォン２のアプリケーションはまた、サーバ４からユーザへ通知を、例えば、医療機器１を保守または交換すべき場合に、供給することが可能であってよい。モバイルフォン２は、そのメモリ中に、医療機器１に関する情報、例えば、医療機器１の識別子、またはユーザの識別子を格納していてよい。
【００６６】
モバイルフォントラッキング（追跡）が使用される場合、モバイルフォン２の位置は、セルラーネットワーク３により決定される。セルラーネットワーク３は、モバイルフォン２がどのセルに接続されているかに関する情報を使用してよく、または複数のセルを含む多数セルを使用してよい。セルラーネットワーク３は、その位置が決定されるべきモバイルフォンのデータベースを備えてよい。モバイルフォンの位置は、データベースに格納され、サーバ４に利用可能にされる。セルラーネットワーク３は、モバイルフォン２の位置を所定の間隔で決定する命令を備えてよい。こうして、セルラーネットワーク３のコンピュータは、モバイルフォン２またはモバイルフォン２のグループの位置を、所定間隔で決定するよう構成されてよい。
位置データは、セルラーネットワーク３からサーバ４へあらゆる好適な方法で送信される。例えば、サーバ４は、セルラーネットワーク３のコンピュータまたはデータベースから、特定のモバイルフォン２または複数のモバイルフォン２に関する地理的データを検索してよい。サーバ４は、データベース１１内に位置データを格納することができる。
【００６７】
ＧＰＳまたはＷｉ−Ｆｉ位置決めが使用される場合、位置は、モバイルフォン２からサーバ４へ、モバイルフォン２およびサーバ４の間で確立されるデータ接続を使用して送信されてよい。
【００６８】
サーバ４は、典型的には、医療従事業者、病院、またはヘルスケア提供会社により運用される。サーバ４は、ソフトウエアおよびデータを格納するメモリを有する。サーバ４は、さらに、プロセッサを有してソフトウエアを実行することができ、またオペレーティングシステムを有してよい。サーバ４は、ユーザインタフェース２２を有して、医療従事業者におけるユーザにサーバの設定を変更させ、例えば、閾値を変更したり通知を受信したりの設定を変更させることができる。サーバ４は、モバイルフォン２および／またはセルラーネットワーク３と通信する通信インタフェース９を有する。
いくつかの実施形態において、サーバ４は、モバイルフォン２の位置を、セルラーネットワーク３から、サーバ４がモバイルフォン２と通信することなく、受信する。通信インタフェース９はまた、医療機器１と通信するために使用されてよい。サーバ４は、リモートコンピュータであってよい。サーバ４は、例えば仮想サーバとして協働する２つ以上のコンピュータまたはサーバであってよい。
【００６９】
サーバ４は、通信インタフェース９を使用して、位置データを、モバイルフォン２またはセルラーネットワーク３からデータ接続を介して受信することができる。好適には、サーバ４は、それぞれが１つのモバイルフォン２および少なくとも１つの医療機器１を携行する複数のユーザのデータを検索または取得することができる。
【００７０】
サーバ４はまた、複数の医療機器１およびモバイルフォン２の識別子を備えるデータベース１１を備える。それぞれの医療機器１は、例えば、数値、文字の組み合わせ、または数値と文字の組み合わせであってよい固有の識別子を有する。それぞれのモバイルフォン２はまた、モバイルフォン番号またはＩＳＭＩ番号であってよい固有の識別子を有する。データベース１１中で、それぞれの医療機器１の識別子は、１つのモバイルフォン２の識別子に結合される。
【００７１】
こうして、特定のモバイルフォン２からのデータは、データベース１１中で、特定の医療機器１に結合されることが保証される。
【００７２】
サーバ４は、医療機器１に関する決定を実行する決定ルールソフトウエア１０を有する。この決定は、医療機器１を保守、廃棄、または交換すべきこと、またはいずれのアクションも取られるべきでないこと、であってよい。決定ルールソフトウエア１０は、位置特異的パラメータのための閾値を有してよい。こうして、例えば、温度、湿度、および大気汚染のそれぞれのための閾値が提供されてよい。仮想的な例として、決定ルールは、もし閾値が、少なくとも所定数の場所、例えば３箇所、で値（４０℃）を上回ったら、医療機器を交換すべき、と記述する。決定ルールソフトウエア１０は、必要に応じて更新されてよい。例えば、閾値は、決定ルールソフトウエア１０を更新することにより、上方または下方に調整されてよい。これは、ユーザインタフェース２２を使用することにより実行され得る。
【００７３】
決定ルールソフトウエア１０の１つまたは複数の閾値は、必要に応じて変更されてよい。例えば、経験に基づき、温度の閾値を下げるべきと発見された場合、これは、医療従事業者により、サーバ４の決定ルールソフトウエア１０の閾値を単純に変更することにより、便宜な方法で実行することができる。
【００７４】
サーバ４は、以下に説明される時点選択ソフトウエア２６を有してよい。
【００７５】
典型的には、医療機器１は、パーソナル型、すなわち１人の人のみによって使用される。データベース１１は、好適には、医療従事業者が医療機器１のユーザへ接触することを許容する情報、例えば、電話番号、電子メイルアドレス、または自宅アドレスを含む。例えば、医療従事業者は、ある医療機器１が保守または交換を必要としており、ユーザにこれに関して知らせる必要があると決定してよい。
【００７６】
サーバ４は、セルラーネットワーク３、および／またはモバイルフォン２へのデータ接続を使用して、モバイルフォン２へ、医療機器１が保守または交換を必要としているとの信号を送信することができる。こうした信号は、ＳＭＳ／テキストメッセージの形式であってよく、またはモバイルフォン２中のアプリケーションを介してであってよい。モバイルフォン２で音声通知および／または振動もまた提供されてよい。
【００７７】
サーバ４は、医療機器１へのデータ接続を使用して、医療機器１へ信号を送信してよく、この信号により、医療機器１は、医療機器のユーザに、医療機器１が保守又は交換を必要としていることを通知する。
サーバ４からの信号により、医療機器１は、システムチェック、例えばバッテリー電力のチェック、を実行してよい。信号処理は、好適には、医療機器１およびサーバ４の間の、動作データをサーバ４へ送信するのに使用されるのと同一の通信セッションで発生してよい。
代替的に、これは、後の通信セッションで発生する。ユーザへの通知は、医療機器１のディスプレイ上に表示されるメッセージ、または音声信号、または振動、またはこれらの組み合わせであってよく、または医療機器１のシャットダウンによるものであってよい。ディスプレイ上のメッセージは、例えば、「エラー」、または「保守」または「医療従事業者Ｘにコンタクト」、または「ＸＸ−ＸＸＸＸＸへ電話」であってよい。医療機器は、こうして、ユーザインタフェースを有し、これは、通知のため使用されることのできるディスプレイを含んでよい。
【００７８】
図３および図４を参照して、サーバ４は、モバイルフォン２の地理的位置を時点とともに使用して、ユーザの位置のための、すなわち医療機器１のための位置特異的データを検索し、この位置特異的データを使用して、医療機器１を保守または交換すべきか否かを決定することができる。医療機器１は、動作センサ１４、セルラー送受信機２４、メモリ７、処理装置８、およびバッテリー２０のそれぞれを有してもよく、有さなくてもよい。
【００７９】
図４のステップ１００において、モバイルフォン２は、その位置を決定し、または代替的に、モバイルフォン２の位置は、セルラーネットワーク３により決定される。これは、上記の方法で実行することができる。この位置は、第１の時点について決定される。モバイルフォン２は、自動的にモバイルフォン２に位置を決定させ、その位置を時点とともに、モバイルフォン２のメモリ内に格納させるソフトウエア（例えば、アプリケーション）を有してよい。これは、少なくとも好適な所定の時間間隔、例えば、少なくとも１５分毎に繰り返されることができる。これにより、医療機器１の連続的モニタリングが提供される。モバイルフォン２のソフトウエア（アプリケーション）は、この時間間隔を決定し、モバイルフォン２内のクロックまたはタイマは、時間を決定するために使用されることができる。代替的に、セルラーネットワーク３は、モバイルフォンの位置を、所定の時間間隔で、例えば１５分毎に１回、決定するよう構成される。
【００８０】
所定の時間間隔は、例えば、少なくとも５分毎から少なくとも２４時間毎であってよい。好適な時間間隔は、少なくとも１５分毎または少なくとも１時間毎であってよい。
【００８１】
ステップ１０１において、モバイルフォン２は、位置、および当該位置のための時点を、サーバ４へ、データ接続を使用して転送する。モバイルフォン２は、最初に自身をサーバ４に対して同定（識別）してよい。識別は、当該技術分野で公知なあらゆる方法で実行されてよい。これにより、サーバ４は、モバイルフォンからの位置データを、データベース１１中の正確な医療機器１に関連付けることができる。位置データは、少なくとも好適な（より長い）所定の時間間隔ポイント、例えば、１日当たり１回、１日当たり２回、１日当たり４回、または１時間当たり１回、でサーバ４へ転送される。
代替的に、セルラーネットワーク３は、モバイルフォン２の位置を、セルラーネットワーク３から直接サーバ４へ、例えば、モバイルフォン２がどの基地局に接続されているかに基づいて、提供する。セルラーネットワーク３は、これを、例えば１日当たり１回である、所定の時間間隔で実行することができる。サーバ４は、セルラーネットワーク３に対して、モバイルフォン２の位置を、所定の時間間隔で検索することができる。
【００８２】
ステップ１０２で、サーバ４は、時点を使用して、位置および時点（第１の時点）のための位置特異的データを検索する。位置特異的データは、パラメータの値、例えば、当該位置についての、温度、大気圧、湿度、交通量、大気汚染、および人の密度のうちの１つであってよい。位置特異的データは、データの外部サプライヤ２１から検索されてよい。データの外部サプライヤは、位置特異的データを有するあらゆるプロバイダまたはデータベースであってよい。天候、温度、大気圧、湿度、および大気汚染に関する情報は、例えば、天気サービスから検索されることができる。交通量、または人の密度に関する情報は、例えば、Ｇｏｏｇｌｅから検索されてよい。位置特異的データはまた、サーバ４中の別個のデータベースから供給されてよい。
こうした情報がいかに使用されて機器の損耗を予測するかを、以下説明する。第１の時点の時点に正確に合致する時点のための位置特異的データ（例えば、温度）が存在しなかった場合（これはしばしば起き得るが）、サーバ４または外部プロバイダ２１は、第１の時点に最も近接する時点のための位置特異的データを選択してよい。
【００８３】
ステップ１０３で、サーバ４は、位置特異的データを使用して、医療機器１を保守または交換すべきか否かを決定する。サーバ４は、決定ルールソフトウエア１０を使用してこれを実行する。決定ルールソフトウエア１０の決定ルールは、閾値であってよい。例えば、医療機器１が４０℃より高い温度下に晒されている場合、交換されるべきである。当然ながら、最も頻度の高い決定は、何らのアクションも取らず、医療機器１の継続的使用を許容することである。
【００８４】
例えば、特定の医療機器１が、４０℃より高い気温に晒されるべきでないということとする。この場合、閾値は、４０℃に設定される。例えば、ユーザがニューデリーに位置しており、時点が１１：４５である場合、サーバ４は、この情報を使用してニューデリーでのこの位置のための１１：４５（または１１：４５に近い時点）の温度データを検索する。この時および位置の温度データは４２℃であった。この値は、４０℃より暑いため、サーバ４は、医療機器を交換すべきと判定する。同様の閾値は、最低温度、大気圧等のため使用されることができる。
【００８５】
保守または交換の決定は、直ちに実行される必要はない。この方法は、時系列上、医療機器の群(fleet)をモニターするために使用されることができ、医療機器１が有害な状況に晒されてから後相当な時間が経過したとき、１つ以上の医療機器を同時に保守または交換することを決定することができる。
【００８６】
閾値を有する決定ルールを含む方法の例が、図５に示されている。ステップ２０１で、サーバ４の決定ルールソフトウエア１０は、位置特異的データ、この場合温度、を受信する。ステップ２０２で、決定ルールソフトウエア１０は、決定ルールを適用する。この場合、決定ルールは、４０℃を上回る温度が、例えば外部プロバイダ２１から、サーバ４へ提供されたら、医療機器１を交換すべきとするものである。ステップ２０２で、記録された温度値が４０℃以下であると分かれば、ステップ２０３で、機器を交換しないとの決定がなされる。外部プロバイダからの温度値が４０℃を上回れば、ステップ２０４で、医療機器１を交換するとの決定がなされる。このように、医療機器が、４０℃を上回る温度に晒されている場合、ステップ２０４で、決定ルールソフトウエア１０により、機器を交換するとの決定がなされる。
【００８７】
決定ルールはより複雑であってよく、以下の仮想事例で説明されるように、２つ以上のパラメータを含んでよい。
【００８８】
決定ルールソフトウエア１０の出力は、サーバ４から、通信インタフェース９および／またはユーザインタフェース２２により、通信されることが可能である。ユーザインタフェース２２は、医療機器１の交換、廃棄、または保守に関する通知を提供してよい。こうした通知は、あらゆる好適な形式であってよい。通知は、複数の医療機器１の記録を取るコンピュータシステムに送信される。こうしたコンピュータシステムは、例えば、新規の機器を自動的に注文する、医療機器１のユーザに通知または警告する、または医療または技術スタッフに通知または警告する、等の関連するアクションを取ってよい。通知は、好適には、モバイルフォン２に、例えば、テキスト／ＳＭＳで、またはモバイルフォン２中のアプリケーションに、送信されることができる。
【００８９】
本発明の異なる態様において、地理的位置は、必ずしも確立されなくともよい。これに替えて、モバイルフォン２のセンサ２５が、医療機器１のための代理(proxy)センサとして使用される。ＡｎｄｒｏｉｄまたはｉＯＳに適合するモバイルフォンは、しばしは、１つ以上の以下のセンサを有する：大気圧センサ、温度センサ、加速度センサ、湿度センサ、および光センサ。このため、データの外部サプライヤ２１からデータを取得する必要が必ずしもないかもしれない。図４を参照して、ステップ１００は、必ずしも実行されなくてもよく、これに替えて、モバイルフォン２がセンサ２５を使用して、大気圧、温度、加速度、湿度、および光から選択されるパラメータ、またはモバイルフォン２のセンサ２５により検出可能な他のパラメータの値を決定する。この値は、モバイルフォン２のメモリに格納される。
【００９０】
ステップ１０１で、これに替えて、センサ２５により決定されたパラメータの値は、サーバ４へ、モバイルフォン２およびサーバ４の間のデータ接続を使用して転送される。図４のステップ１０２は、実行されない。ステップ１０３は、図４にあるように実行される。センサ２５は、パラメータの値を、少なくとも所定の時間間隔で決定してよい。これは、モバイルフォン２のメモリ中のソフトウエア、例えばアプリケーション、により制御され得る。
【００９１】
図６および図７を参照して、医療機器１が、医療機器１の使用を検知する動作センサ１４を有する場合、この方法は、医療機器１の動作イベントの時点を、地理的位置の時点と対にする(pairing)ステップを含んでよい。医療機器１が動作中、例えば、輸液用ポンプが稼動している、または注入を実行中であるとき、時点のための位置特異的データを決定することは、特に重要である。
【００９２】
位置データは、モバイルフォン２からサーバ４へ送信され、時点を比較することにより、センサ計測値（例えば動作センサ１４による）と対にされることができる。こうして、サーバ４は、モバイルフォンにより決定される（またはセルラーネットワーク３により決定される）、動作イベントの時点に最も近接する地理的位置を選択することができる。
【００９３】
図６は、モバイルフォン２がセルラー無線送受信機５（第１のセルラー送受信機）を有し、医療機器１がまたセルラー送受信機２４（第２のセルラー送受信機）を有するシステム５０を示す。医療機器１は、第２のセルラー送受信機２４を使用して、サーバ４へのデータ接続を確立し、サーバ４へ、医療機器１の使用（動作イベント）の時点に関するデータを転送する。
【００９４】
図７を参照して、ステップ３０１で、モバイルフォン２は、好適には、例えばＧＰＳまたはＷｉ−Ｆｉ位置決めを使用して、位置を決定し、この位置および時点を、サーバ４へ、データ接続を使用して、転送または供給する。これは、図４のステップ１００および１０１につき上記したように、少なくとも所定の時間間隔で実行される。これにより、少なくとも第１および第２の時点が、モバイルフォン２からサーバ４により受信される。
代替的に、モバイルフォン２の位置は、セルラーネットワーク３により決定され、この場合、位置は、セルラーネットワーク３により、サーバ４へ供給される。こうして、少なくとも第１の地理的位置に関連付けられる第１の時点と、第２の地理的位置に関連付けられる第２の時点とが、サーバ４内に格納される。こうして、地理的位置に関連付けられる複数の時点が、サーバ４内に格納される。言うまでもなく、２つより多い時点であり得る。
【００９５】
ステップ３０２で、医療機器１のユーザは、例えば、注入を行うことにより、医療機器１を使用する。これは、動作センサ１４により検出される。この時点（第３の時点）は、医療機器１のクロックにより決定され、当該時点は、メモリ７に格納される。こうして、医療機器の使用が、動作センサ１４により検出される。医療機器の使用は、センサ１４により検出されるような可動部分の動きとして定義されてよい。
【００９６】
ステップ３０３で、医療機器１は、サーバ４との間で確立されるデータ接続を確立する。医療機器１は、例えば、セルラー無線送受信機２４を使用して、セルラーネットワーク３を介してサーバ４へのデータ接続を確立する。医療機器１はその後、動作の時点（第３の時点）をサーバ４へ転送する。これは、所定の時間間隔で、またはユーザが医療機器１を使用した直後、例えば、注入をした直後、に実行されることができる。時点の転送は、このように、医療機器１の動作が契機（トリガー）(triggered)となる。例えば、医療機器が注入機器である場合、注入の実行は、時点のサーバへの転送のトリガーとなってよい。医療機器が、血糖測定器である場合、測定動作が、時点の転送のトリガーとなってよい。医療機器が、透析装置である場合、透析サイクルの完了により、動作の時点を転送してよい。転送は、少なくとも所定の時間間隔で、例えば、少なくとも１日当たり１回、または１時間当たり１回、なされてよい。動作時点を転送する所定の時間間隔は、好適には、モバイルフォンの位置がいつ決定されるかの所定の時間間隔より長くてよい。動作イベントは、医療目的での医療機器１の使用のログを取るため、例えば、治療計画に基づく患者の薬剤服用順守をモニタリングするため、使用されてよい。
【００９７】
第１、第２、および第３の時点は、サーバ４のメモリに格納される。ステップ３０１は、ステップ３０２または３０３の前後に実行されてよい。ステップ３０１、３０２、および３０３は、繰り返し実行されて、サーバ４中に２セットの時点を作成してもよい。動作の時点を正確な地理的位置と対にするため、サーバは、ステップ３０４および３０５を実行する。
【００９８】
ステップ３０４で、サーバ４は、少なくとも、第１、第２、および第３の時点を、時点選択ソフトウエア２６へ供給する。時点選択ソフトウエア２６は、ステップ３０５で、第１の時点および第２の時点から、第３の時点に最も近接する時点を選択する。こうして、時点選択ソフトウエア２６は、それぞれが地理的位置に関連付けられる複数の時点から、動作の時点に最も近接する時点を選択する。
【００９９】
第１の時点が最も近接する場合、第１の時点の位置が、ステップ３０６で、位置特異的データを検索するのに使用される。第２の時点が最も近接する場合、その時点の位置が、ステップ３０７で、位置特異的データを検索するのに使用される。ステップ３０６および３０７は、図４のステップ１０２として実行される。
【０１００】
例えば、医療機器１からの動作センサ１４の計測が、１５：２５（第３の時点）に発生し、１５：００の位置Ｘおよび１５：３０の位置Ｙがある場合、サーバ４の時点選択ソフトウエア２６は、それが時間上１５：２５の動作センサ１の計測値に最も近接するため、位置Ｙを選択する。こうして、サーバ４は、位置Ｙを使用して、位置特異的データを検索する。
【０１０１】
他の例は、以下の表１で提供される。
【０１０２】
【表１】
2019531520.tif 000003
【０１０３】
表１の例において、座標Ｘ２Ｙ２の位置が、位置特異的データを検索するのに使用される。位置Ｘ４Ｙ４もまた、位置特異的データを検索するのに使用される。
【０１０４】
ここにおける他の実施形態と組み合わせることが可能な別個の実施形態において、動作データは、医療機器１からモバイルフォン２へ、無線で、例えば、Ｂｌｕｅｔｏｏｔｈ（登録商標）または近距離無線通信（ＮＦＣ）を使用して転送され、モバイルフォン２は、このデータを、上記のようにリモートコンピュータ４へ転送する。サーバ４はその後、上記のように動作イベントデータを使用する。
【０１０５】
図８を参照して、好適な実施形態において、決定ルールソフトウエア１０は、機械学習をデータセット１５に適用することにより生成される決定ルールを実装する。このデータセット１５は、同等の(similar)ポータブル医療機器から以前に収集されたデータを備え、このデータセット１５は、同等の機器のあらゆる以前の障害に関するデータを備える。障害は、こうした同等のポータブル衣料機器の、故障(breakdowns)、障害(failure)、交換またはエラーコードを含む。
【０１０６】
「同等な(similar)」または「比較可能な(comparable)」機器とは、例えば、これらが同様なモデルである、または同様な挙動であることが合理的に期待できるような所定のコンポーネントを共有するなどの理由で、比較することができることを意味する。
【０１０７】
機械学習自体は、以前から公知である。機械学習は、例えば、ベイズ(Bayesian)ネットワークまたは人工ニューラルネットワークを適用することを含んでよい。ガイダンスは、ＵＳ２０１４／００１２７８４号公報、ＵＳ２００８／００５９１２０号公報、およびＵＳ８８１９４９８号公報中に見出すことができる。サーバ４は、データセット１５を分析して決定ルールソフトウエア１０に実装される決定ルールを生成する機械学習ソフトウエア１６を備えてよい。データセット１５は、ユニットデータベース１１中に情報を有してよい。
【０１０８】
データセット１５は、あらゆる有用な情報を有してよい。このため、データセット１５は、モデル、シリアル番号、ユーザのアドレス、製造日、医療機器１のコンポーネントおよび製造業者、および以前に記録された位置特異的データ（温度、湿度等）に関する情報を含んでよい。
【０１０９】
重要なことに、データセット１５は、医療機器１または同等の医療機器の以前の障害に関する情報を有する。このデータは、手動で入力され得る。代替的に、データセット１５は、医療機器１または比較可能な医療機器からエラーコードを自動的に受信してよい。データセット１５のサイズは、時系列上増加していき、決定ルールを改良していく。この方法は、医療機器１からのエラーコードに関する情報をデータセット１５に自動的に追加するステップを含んでよい。この方法は、医療機器１からのエラーコードに関する情報をデータセットに自動的に追加するステップを含んでよい。
【０１１０】
機械学習をデータセット１５に適用することにより、決定ルールソフトウエア１０の決定ルールは、以前には未知であったファクタを、医療機器１を診断するため、考慮することができるようになる。例えば、低い温度下における所定の使用パターン（例えば、高頻度の使用等）は、医療機器の損傷のリスクを増加させ得ることは、蓋然性が高い。こうした障害パターンを、機械学習を使用することにより検出することができる。こうして、この方法は、リサーチツールとして使用することができる。データセット１５に含めることができ、これにより機械学習ソフトウエア１６が、決定ルールソフトウエア１０中の決定ルールを生成する際に考慮することができるパラメータは、以下を含んでよい：温度、湿度、大気汚染、使用パターン、エラーコード、使用の時刻またはエラーコードを生成した時間、モデル、シリアル番号、ユーザのアドレス、製造日、医療機器１内のコンポーネントのシリアル番号、および医療機器１の交換。また、センサ２５からのデータが使用されてよい。例えば、所定の加速度パターンは、ユーザが運動を実行していることを示し得る。
【０１１１】
機械学習をデータセット１５へ適用することにより、医療機器１の障害を予測する新たなパターンを発見することができる。こうしたパターンは、まだ発見されていないが、いくつかの純粋に仮想的な例を、以下、例示目的のみで説明する。第１の仮想的な例は、高温度での注入は、医療機器１の損耗を予測するというものである。第２の仮想的な例は、高温度と高湿度の組み合わせが、医療機器がある下請業者からの部品を有する場合、医療機器の障害をもたらすというものである。第３の例は、１ｍｌを超える容量の注入は、バッテリー充電エラーコードをもたらすというものである。
【０１１２】
好適には、データセット１５は、多数の医療機器１、好適には１０００より多い医療機器１からのデータを含む。
【０１１３】
本方法は、サーバ４が、データセット１５に、位置特異的データ、センサ１４またはセンサ２５からのデータまたは時点または位置、外部サプライヤ２１、医療機器１、またはモバイルフォン２から受信された位置特異的データを追加するステップを含んでよい。
【０１１４】
本方法は、機械学習ソフトウエア１６が、更新されたデータセット１５を分析して更新された決定ルールを生成し、決定ルールソフトウエア１０を新たな決定ルールで更新するステップを含んでよい。これは図９に、ステップ４００において、いかにサーバ４がデータ、例えば位置特異的データ、を外部サプライヤ２１から受信するか、として示されている。このデータはその後、データセット１５に追加される。ステップ４０１で、機械学習ソフトウエア１６は、更新されたデータセット１５を分析して、ステップ４０２で、更新された決定ルールを生成する。この更新された決定ルールは、その後ステップ４０３で、決定ルールソフトウエア１０を更新するのに使用される。機械学習ソフトウエア１６は、決定ルールが決定ルールソフトウエアを更新するために使用されるための少なくとも最小限の所定の信頼性を有することを保証するよう、決定ルールを提供するためにカットオフを適用してよい。
【０１１５】
ステップ４０３は省略されてよい。ステップ４０３が省略される場合、決定ルールソフトウエアは、手動で更新されてよい。機械学習ソフトウエア１６は、その後、決定ルールソフトウエアを自動的に更新し得るオペレータに、（ユーザインタフェース２２を使用して）通知を送信してよい。
【０１１６】
以上、本発明を、特定の例示的実施形態を参照して説明したが、本開示は一般的に本発明の概念を例示的に説明することのみを意図するものであって、本発明の範囲を限定するものとして解釈されるべきでない。本発明は、特許請求の範囲により一般的に規定される。
【図１】
2019531520.tif 000004
【図２】
2019531520.tif 000005
【図３】
2019531520.tif 000006
【図４】
2019531520.tif 000007
【図５】
2019531520.tif 000008
【図６】
2019531520.tif 000009
【図７】
2019531520.tif 000010
【図８】
2019531520.tif 000011
【図９】
2019531520.tif 000012
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
ユーザにより携行されるポータブルまたはウェアラブル医療機器（１）、および同一のユーザにより携行されるクライアント機器（２）を使用する方法であって、
前記医療機器（１）は、ハウジング内に統合される、動作センサ（１４）、処理装置（８）、メモリ（７）、およびセルラー無線送受信機（２４）を有し、前記メモリ（７）内に、動作イベントの時点に関する情報を格納することが可能であり、
前記クライアント機器（２）は、前記クライアント機器（２）に少なくとも所定の時間間隔で位置を決定させる命令を備え、または、セルラーネットワーク（３）が前記クライアント機器（２）の前記位置をサーバ（４）へ所定の時間間隔で提供し、
前記方法は、
ａ．前記クライアント機器（２）が、少なくとも第１の時点および第２の時点において、前記クライアント機器（２）の地理的位置を決定し、これらの位置および前記時点を、データ接続を介してサーバ（４）へ供給するステップ、または、前記クライアント機器（２）が、少なくとも第１の時点および第２の時点において、セルラーネットワーク（３）により決定されるその位置を有し、前記セルラーネットワーク（３）が、前記位置および前記時点を、前記サーバ（４）へ供給するステップ、
ｂ．前記医療機器（１）が、前記動作センサ（１４）を使用して、前記医療機器（１）がいつ使用されたかの時点（第３の時点）を決定するステップ、
ｃ．前記医療機器（１）が、そのセルラー無線送受信機（２４）を使用して、前記サーバ（４）へのデータ接続を確立して、前記第３の時点を前記サーバ（４）に転送するステップ、
ｄ．前記サーバ（４）が、少なくとも前記第１の時点および第２の時点のうち、前記第３の時点に最も近接する時点を選択するステップ、
ｅ．前記サーバ（４）が、前記位置およびステップｄ）で選択された前記時点を使用して、前記位置および前記時点のための位置特異的データを検索するステップ、ここで前記位置特異的データは、天気または気候パラメータ、大気圧、湿度、温度、交通量、大気汚染、大気中粒子密度、大気中花粉密度、人の密度、および海抜高度からなる群から選択され、その後、
ｆ．前記サーバ（４）が、ステップｅ）からの前記位置特異的データを使用して、前記医療機器を保守または交換すべきか否かを決定するステップ、
を含むことを特徴とする方法。
【請求項２】
請求項１に記載の方法であって、
ステップｃ）は、前記医療機器により、少なくとも所定の時間間隔で実行される、
ことを特徴とする方法。
【請求項３】
請求項１または２に記載の方法であって、
ステップｃ）は、前記医療機器（１）により、前記医療機器（１）が使用された後、自動的に実行される、
ことを特徴とする方法。
【請求項４】
請求項１から３のいずれか１項に記載の方法であって、
ステップｆ）は、前記サーバ（４）が、機械学習をデータセット（１５）に対して適用することにより生成される決定ルールを適用し、前記データセット（１５）は、同等の医療機器について以前に収集された位置特異的データを含み、前記データセット（１５）はまた、同等のポータブル医療機器の以前の障害に関するデータを含む、
ことを特徴とする方法。
【請求項５】
請求項１から４のいずれか１項に記載の方法であって、
前記ポータブル医療機器（１）は、薬剤を注入する機器である、
ことを特徴とする方法。
【請求項６】
請求項１から５のいずれか１項に記載の方法であって、
前記クライアント機器（２）は、前記地理的位置を決定し、前記地理的位置および前記時点を、前記セルラーネットワーク（３）により提供されるデータ接続を介して、前記サーバ（４）に転送する、
ことを特徴とする方法。
【請求項７】
ユーザにより携行されるポータブル医療機器（１）、および同一のユーザにより携行されるクライアント機器（２）、セルラーネットワーク（３）、およびサーバ（４）を備えるシステムであって、
前記医療機器（１）は、ハウジング内に統合される、動作センサ（１４）、処理装置（８）、メモリ（７）、およびセルラー無線送受信機（２４）を有し、前記メモリ（７）内に、動作イベントの時点に関する情報を格納することが可能であり、
前記クライアント機器（２）は、前記クライアント機器（２）の地理的位置を、少なくとも第１の時点および第２の時点について決定および格納し、前記地理的位置および前記時点を、データ接続を介してサーバ（４）へ供給するよう構成され、または、前記セルラーネットワーク（３）は、前記クライアント機器（２）の前記位置を、少なくとも第１の時点および第２の時点について決定し、前記位置および前記時点を前記サーバ（４）へ供給するよう構成され、
前記医療機器（１）は、前記動作センサ（１４）を使用して、前記医療機器（１）がいつ使用されたかの時点（第３の時点）を決定し、そのセルラー無線送受信機（２４）を使用して、前記サーバ（４）へのデータ接続を確立して、前記第３の時点を前記サーバ（４）に転送するよう構成され、
前記サーバ（４）は、少なくとも前記第１、第２および第３の時点を受信して、少なくとも前記第１の時点および前記第２の時点から、前記第３の時点に最も近接する時点を選択し、前記選択された時点を使用して、前記時点についての位置特異的データを検索するよう構成され、ここで前記位置特異的データは、天気または気候パラメータ、大気圧、湿度、温度、交通量、大気汚染、大気中粒子密度、大気中花粉密度、人の密度、および海抜高度からなる群から選択され、
前記サーバ（４）は、前記位置特異的データを使用して、前記医療機器（１）を保守または交換すべきか否かを決定するよう構成され、
ここで、前記クライアント機器（２）は、前記クライアント機器（２）に少なくとも所定の時間間隔で位置を決定させる命令を備え、または、セルラーネットワーク（３）が前記クライアント機器（２）の前記位置をサーバ（４）へ所定の時間間隔で提供する、
ことを特徴とするシステム。
【請求項８】
請求項７に記載のシステムであって、
前記医療機器（１）は、前記サーバ（４）へのデータ接続を確立し、前記第３の時点を前記サーバ（４）へ、少なくとも所定の時間間隔で転送するよう構成される、
ことを特徴とするシステム。
【請求項９】
請求項７または８に記載のシステムであって、
前記医療機器（１）は、前記サーバ（４）へのデータ接続を確立し、前記第３の時点を前記サーバ（４）へ、前記医療機器（１）が使用された後に自動的に転送するよう構成される、
ことを特徴とするシステム。
【請求項１０】
請求項７から９のいずれか１項に記載のシステムであって、
前記サーバによる前記決定のステップは、前記サーバ（４）が、機械学習をデータセット（１５）に対して適用することにより生成される決定ルールを適用することを含み、前記データセット（１５）は、同等の医療機器について以前に収集された位置特異的データを含み、前記データセット（１５）はまた、前記同等の医療機器の以前の障害に関するデータを含む、
ことを特徴とするシステム。
【請求項１１】
請求項７から９のいずれか１項に記載のシステムであって、
前記ポータブル医療機器（１）は、薬剤の注入のための機器である、
ことを特徴とするシステム。
【請求項１２】
識別されたポータブル医療機器（１）に関連する、その中に格納される情報を有するサーバ（４）であって、
前記サーバ（４）は、クライアント機器（２）の位置および時点を受信し、前記位置および前記時点を使用して、前記時点についての位置特異的データを検索し、前記位置特異的データを使用して、前記ポータブル医療機器（１）を保守または交換すべきか否かを決定するよう構成される、
ことを特徴とするサーバ。
【請求項１３】
請求項１２に記載のサーバであって、
少なくとも、前記クライアント機器（２）の第１の位置に関連する第１の時点、および前記クライアント機器（２）の第２の位置に関連する第２の時点を受信し、
前記ポータブル医療機器（１）から、前記医療機器（１）がいつ使用されたかを示す時点（第３の時点）を受信し、
前記サーバ（４）は、少なくとも前記第１の時点および前記第２の時点の中から、前記第３の時点に最も近接する時点を選択する時点選択ソフトウエア（２６）を有し、
前記サーバ（４）は、選択された前記時点および位置を使用して、前記位置特異的データを検索するよう構成される、
ことを特徴とするサーバ。
【請求項１４】
請求項１２または１３に記載のサーバであって、
前記医療機器（１）を保守または交換すべきかの前記決定は、前記サーバ（４）が、機械学習をデータセット（１５）に適用することにより生成される決定ルールを適用することを含み、
前記データセット（１５）は、同等の医療機器について以前に収集された位置特異的データを含み、前記データセット（１５）はさらに、前記同等のポータブル医療機器の以前の障害に関するデータを含む、
ことを特徴とするサーバ。
【請求項１５】
個々のポータブル医療機器（１）に関する、その中に格納される情報を有するクライアント機器（２）であって、
前記クライアント機器（２）は、前記クライアント機器（２）の地理的位置を決定し、前記地理的位置の決定の時点と共に格納し、前記地理的位置および前記時点を、サーバ（４）へデータ接続を介して供給するよう構成され、
前記クライアント機器（２）は、前記サーバ（４）から、前記ポータブル医療機器（１）を保守または交換すべきかの情報を受信するよう構成される、
ことを特徴とするクライアント機器。
【国際調査報告】
2019531520.tif 000013
2019531520.tif 000014
2019531520.tif 000015